(57)【要約】【課題】予混合燃焼方式と拡散燃焼方式とに対応可能なエンジンにおいて、液体燃料供給用レール配管及びパイロット燃料供給用レール配管のメンテナンスを容易にする。【解決手段】エンジン２１は、メイン燃料噴射弁７９と、パイロット燃料噴射弁８２と、液体燃料供給用レール配管４２と、パイロット燃料供給用レール配管４７と、排気マニホールド４４と、を備える。メイン燃料噴射弁７９は、拡散燃焼方式での燃焼時に液体燃料供給用レール配管４２からの液体燃料を燃焼室１１０に供給する。パイロット燃料噴射弁８２は、予混合燃焼方式での燃焼時にパイロット燃料供給用レール配管４７からのパイロット燃料をガス燃料着火のために燃焼室１１０に供給する。液体燃料供給用レール配管４２及びパイロット燃料供給用レール配管４７は、排気マニホールド４４よりも低い位置に配置される。【選択図】図３
2020073805.tif 000002
【特許請求の範囲】
【請求項１】
気体燃料を空気と混合させてから燃焼室に流入させる予混合燃焼方式と、液体燃料を前記燃焼室内に噴射して燃焼する拡散燃焼方式と、に対応可能なエンジンにおいて、
前記拡散燃焼方式での燃焼時に前記燃焼室に液体燃料を供給するメイン燃料噴射弁と、
前記予混合燃焼方式での燃焼時にガス燃料着火を目的として前記燃焼室にパイロット燃料を供給するパイロット燃料噴射弁と、
前記メイン燃料噴射弁に液体燃料を供給する液体燃料供給用レール配管と、
前記パイロット燃料噴射弁にパイロット燃料を供給するパイロット燃料供給用レール配管と、
前記燃焼室での燃焼により発生した排気を集めて外部に排出する排気マニホールドを備え、
前記液体燃料供給用レール配管及び前記パイロット燃料供給用レール配管を前記排気マニホールドより低い位置に備える
ことを特徴とするエンジン。
【請求項２】
請求項１に記載のエンジンであって、
前記液体燃料供給用レール配管から前記メイン燃料噴射弁に液体燃料を供給する燃料噴射ポンプを備え、
前記エンジンの側面視で、前記液体燃料供給用レール配管及び前記パイロット燃料供給用レール配管を前記燃料噴射ポンプと重なる位置に備える
ことを特徴とするエンジン。
【請求項３】
請求項１又は２に記載のエンジンであって、
前記液体燃料供給用レール配管及び前記パイロット燃料供給用レール配管を覆う被覆部材を備える
ことを特徴とするエンジン。
【発明の詳細な説明】
【技術分野】
【０００１】
本発明は、多種燃料採用型のエンジンに関する。詳細には、エンジンにおける液体燃料供給用の配管の配置に関する。
【背景技術】
【０００２】
従来から、天然ガス等の燃料ガスを空気に混合させて燃焼させる予混合燃焼方式と、重油等の液体燃料（燃料油）を拡散させて燃焼させる拡散燃焼方式との何れかを択一的に選択して駆動させることができる、いわゆるデュアルフューエルエンジンが知られている。特許文献１は、この種のエンジンであるエンジン装置を開示する。
【０００３】
この特許文献１のエンジン装置では、拡散燃焼方式での燃焼時に燃焼室に液体燃料を供給するための液体燃料供給用レール配管が、エンジン出力軸としてのクランク軸に対して右側に設けられている。また、予混合燃焼方式での燃焼時にガス燃料着火を目的として燃焼室にパイロット燃料を供給するためのコモンレール配管が、クランク軸に対して左側の、平面視で排気マニホールドのすぐ側方、より具体的には、排気マニホールドの排気枝管の上方の位置に設けられている。
【先行技術文献】
【特許文献】
【０００４】
【特許文献１】特開２０１５−８６７２８号公報
【発明の概要】
【発明が解決しようとする課題】
【０００５】
しかし、上記特許文献１の構成では、液体燃料供給用レール配管はクランク軸に対して右側に、パイロット燃料供給用コモンレール配管はクランク軸に対して左側に、それぞれ配置されていたため、これらのレール配管のメンテナンスを共通の場所から行うことは困難であり、作業効率の低下を招いていた。
【０００６】
本発明は以上の事情に鑑みてされたものであり、その目的は、液体燃料供給用レール配管と、パイロット燃料供給用レール配管と、のメンテナンスを容易にすることにある。
【課題を解決するための手段及び効果】
【０００７】
本発明の解決しようとする課題は以上の如くであり、次にこの課題を解決するための手段とその効果を説明する。
【０００８】
本発明の観点によれば、以下の構成のエンジンが提供される。即ち、このエンジンは、気体燃料を空気と混合させてから燃焼室に流入させる予混合燃焼方式と、液体燃料を前記燃焼室内に噴射して燃焼する拡散燃焼方式と、に対応可能である。このエンジンは、メイン燃料噴射弁と、パイロット燃料噴射弁と、液体燃料供給用レール配管と、パイロット燃料供給用レール配管と、を備える。前記メイン燃料噴射弁は、前記拡散燃焼方式での燃焼時に前記燃焼室に液体燃料を供給する。前記パイロット燃料噴射弁は、前記予混合燃焼方式での燃焼時にガス燃料着火を目的として前記燃焼室にパイロット燃料を供給する。このエンジンは、前記燃焼室での燃焼により発生した排気を集めて外部に排出する排気マニホールドを備える。前記液体燃料供給用レール配管と、パイロット燃料供給用レール配管は、前記排気マニホールドより低い位置に配置される。
【０００９】
これにより、液体燃料供給用レール配管及びパイロット燃料供給用レール配管が排気マニホールドよりも低い位置に配置されるため、燃焼室に供給される前の燃料が仮に漏れた場合に、高温の排気マニホールドの表面に接触して火災に繋がるリスクをなくすことができる。
【００１０】
前記のエンジンにおいては、以下の構成とすることが好ましい。即ち、このエンジンは、前記液体燃料供給用レール配管から前記メイン燃料噴射弁に液体燃料を供給する燃料噴射ポンプを更に備える。前記燃料噴射ポンプは、前記エンジンの側面視で、前記液体燃料供給用レール配管及び前記パイロット燃料供給用レール配管と重なる位置に備える。
【００１１】
これにより、液体燃料供給用レール配管、パイロット燃料供給用レール配管、及び、前記燃料噴射ポンプのメンテナンス作業が容易になる。
【００１２】
前記のエンジンにおいては、以下の構成とすることが好ましい。即ち、このエンジンは、被覆部材と、を更に備える。前記被覆部材は、前記液体燃料供給用レール配管、前記パイロット燃料供給用レール配管及び前記燃料噴射ポンプを覆う。
【００１３】
これにより、仮に、液体燃料供給用レール配管、パイロット燃料供給用レール配管、又は燃料噴射ポンプの何れかから燃料が漏れたとしても、燃料が周囲に飛散することを防止することができ、メンテナンス性及び安全性が向上される。
【図面の簡単な説明】
【００１４】
【図１】本発明の一実施形態に係るエンジン及び２系統の燃料供給経路を概略的に示す説明図。
【図２】エンジンの背面図。
【図３】燃焼室の周辺の構成を詳細に示す背面一部断面図。
【図４】エンジンの正面図。
【図５】エンジンの平面図。
【図６】エンジンの右側面図。
【図７】液体燃料供給経路を示す模式的な前方斜視図。
【図８】エンジンの左側面図。
【図９】サイドカバーの一部及び遮熱カバーを取り外したときの様子を示すエンジンの斜視図。
【図１０】サイドカバーを取り外した状態を示すエンジンの拡大斜視図。
【発明を実施するための形態】
【００１５】
次に、図面を参照して本発明の実施の形態を説明する。図１は、本発明の一実施形態に係るエンジン２１及び２系統の燃料供給経路３０，３１を概略的に示す説明図である。図２は、エンジン２１の背面図である。図３は、燃焼室１１０の周辺の構成を詳細に示す背面一部断面図である。図４は、エンジン２１の正面図である。図５は、エンジン２１の平面図である。図６は、エンジン２１の右側面図である。図７は、液体燃料供給経路を示す模式的な前方斜視図である。図８は、エンジン２１の左側面図である。図９は、サイドカバー４３の一部及び遮熱カバー４５を取り外したときの様子を示すエンジン２１の斜視図である。
【００１６】
図１に示す本実施形態のエンジン（多気筒エンジン）２１は、気体燃料を空気と混合させてから燃焼室に流入させる予混合燃焼方式と、液体燃料を燃焼室内に噴射して燃焼する拡散燃焼方式と、の何れにも対応可能な、いわゆるデュアルフューエルエンジンである。本実施形態のエンジン２１は、図示しない船舶の推進兼発電機構の駆動源として、船舶の機関室の内底板上に、ベース台を介して据え付けられる。
【００１７】
エンジン２１の後端部からは、エンジン出力軸としてのクランク軸２４が後方に向かって突出している。クランク軸２４の一端には、図示しない減速機が動力伝達可能に連結される。この減速機を間に挟んで、船舶の図示しない推進軸が、クランク軸２４と軸線を一致させるように配置される。推進軸の端部には、船舶の推進力を発生させるプロペラが取り付けられる。前記減速機はＰＴＯ軸を有しており、このＰＴＯ軸に、図示しない軸駆動発電機が動力伝達可能に連結される。
【００１８】
この構成により、エンジン２１の動力が減速機を介して、推進軸と軸駆動発電機とに分岐して伝達される。これにより、船舶の推進力を発生させるとともに、軸駆動発電機の駆動にて生じた電力が船舶内の電気系統に供給される。
【００１９】
次に、エンジン２１について、図面を参照して詳細に説明する。エンジン２１は、上述したようにデュアルフューエルエンジンであり、天然ガス等の燃料ガスを空気に混合させて燃焼させる予混合燃焼方式と、重油等の液体燃料（燃料油）を拡散させて燃焼させる拡散燃焼方式と、の何れかを選択して駆動させることができる。
【００２０】
なお、以下では、減速機と接続される側（フライホイールが配置される側）を後側として、エンジン２１の前面に向かって右側を右、エンジン２１の前面に向かって左側を左として、エンジン２１の構成における前後左右の位置関係を説明する。従って、前後方向は、クランク軸２４の軸線に平行な方向と言い換えることができ、左右方向は、クランク軸２４の軸線に垂直な方向と言い換えることができる。ただし、この説明はエンジン２１の向きを限定するものではなく、エンジン２１は用途等に応じて様々な向きで設置することができる。
【００２１】
エンジン２１には、図１に示すように、２系統の燃料供給経路３０，３１が接続されている。一方の燃料供給経路３０には、液化天然ガス（ＬＮＧ）を貯留するガス燃料タンク３２が接続されるとともに、他方の燃料供給経路３１には、船舶用ディーゼルオイル（ＭＤＯ）を貯留する液体燃料タンク３３が接続される。この構成で、一方の燃料供給経路３０はエンジン２１に燃料ガスを供給し、他方の燃料供給経路３１はエンジン２１に燃料油を供給する。
【００２２】
燃料供給経路３０には、上流側から順に、液化状態の気体燃料を貯蔵するガス燃料タンク３２と、ガス燃料タンク３２の液化燃料を気化させる気化装置３４と、気化装置３４からエンジン２１への燃料ガスの供給量を調整するガスバルブユニット３５と、が配置されている。
【００２３】
エンジン２１は、図２から図４までに示すように、シリンダブロック２５の上にシリンダヘッド２６を組み付けて構成される直列多気筒エンジンである。図２及び図４に示すように、シリンダブロック２５の下部には、前記クランク軸２４が、軸線２４ｃを前後方向に向けた状態で回転可能に支持されている。
【００２４】
シリンダブロック２５には、複数（本実施形態では、６つ）の気筒がクランク軸２４の軸線に沿うように一列（直列）に並べて形成される。各気筒には、図３に示すように、ピストン７８が上下方向にスライド可能に収容される。このピストン７８は、図示しないロッドを介して前記クランク軸２４に連結される。
【００２５】
図５及び図６に示すように、それぞれの気筒を上側から覆うように、シリンダブロック２５には複数（本実施形態では６つ）のシリンダヘッド２６が取り付けられる。シリンダヘッド２６はそれぞれの気筒に対して設けられ、ヘッドボルト９９を用いてシリンダブロック２５に固定される。図３に示すように、それぞれの気筒において、ピストン７８の上面とシリンダヘッド２６で取り囲まれた空間に燃焼室１１０が形成される。
【００２６】
複数のヘッドカバー４０は、図５に示すように、各気筒に対応するように、クランク軸２４の軸線２４ｃの方向（前後方向）に沿って一列に並んでシリンダヘッド２６上に配置されている。図３に示すように、それぞれのヘッドカバー４０の内部には、吸気弁及び排気弁を動作させるためのプッシュロッド及びロッカーアーム等からなる動弁機構が収容されている。前記吸気弁を開いた状態では、燃焼室１１０に吸気マニホールド６７からの吸気を取り込むことができる。前記排気弁を開いた状態では、燃焼室１１０からの排気を排気マニホールド４４に排出することができる。
【００２７】
図３に示すように、ヘッドカバー４０の左側の近傍には、後述するパイロット燃料噴射弁８２の上端部が配置されている。このパイロット燃料噴射弁８２は、クランク軸２４の軸線２４ｃを含む仮想鉛直平面Ｐ１（図７を参照）を考えたときに、当該仮想鉛直平面Ｐ１に対して一側（本実施形態では左側）からシリンダヘッド２６の内部に挿入され、燃焼室１１０に向かって斜下方に延びている。
【００２８】
なお、以後の説明では、クランク軸２４の軸線２４ｃを含む仮想鉛直平面Ｐ１に対して一側／他側に位置することを、クランク軸２４に対して一側／他側と表現することがある。仮想鉛直平面Ｐ１は、クランク軸２４の軸線２４ｃの方向にも上下方向にも無限に広い平面であると考えることができるが、図７では、斜視図での表現の都合により、エンジン２１の近傍の一部のみの仮想鉛直平面Ｐ１が示されている。
【００２９】
図２、図３及び図８に示すように、シリンダヘッド２６の左側には、予混合燃焼方式での燃焼時に各気筒の燃焼室１１０にガス燃料を分配して供給するためのガスマニホールド４１が設けられる。ガスマニホールド４１は、シリンダヘッド２６の左側面に沿って前後方向に延びるように配置される。ガスマニホールド４１には、各気筒の燃焼室１１０に対応する複数（本実施形態では６つ）のガス枝管４１ａが接続され、当該ガス枝管４１ａの先端部には、図３に示すように、ガス燃料を噴射するためのガスインジェクタ９８が設けられる。ガスインジェクタ９８の先端部は、気筒に対応してシリンダヘッド２６の内部に形成される吸気枝管６７ａに臨んでいる。ガスインジェクタ９８からガス燃料を噴射することにより、吸気マニホールド６７の吸気枝管６７ａにガス燃料を供給することができる。
【００３０】
図３、図７及び図９に示すように、シリンダブロック２５の右側には、拡散燃焼方式での燃焼時に各気筒の燃焼室１１０に液体燃料を分配して供給するための液体燃料供給用レール配管４２が設けられる。液体燃料供給用レール配管４２は、シリンダブロック２５の右側面に沿って前後方向に延びるように配置されている。液体燃料供給用レール配管４２に供給された液体燃料は、各気筒に対応して設けられた燃料噴射ポンプ８９に分配して供給される。それぞれの気筒には、図３に示すように、燃料噴射ポンプ８９から供給された液体燃料を噴射するメイン燃料噴射弁７９が配置されている。メイン燃料噴射弁７９はシリンダヘッド２６に上方から垂直に差し込まれるように配置され、その上端部はヘッドカバー４０の内部に配置され、下端部は気筒の燃焼室１１０に臨んでいる。燃料噴射ポンプ８９とメイン燃料噴射弁７９とは、シリンダヘッド２６に形成された液体燃料供給路１０６を介して接続される。
【００３１】
液体燃料供給用レール配管４２の下方近傍の位置に、それぞれの燃料噴射ポンプ８９から戻された余分な燃料を集めるための液体燃料戻し集約管４８が設けられる。液体燃料戻し集約管４８は、液体燃料供給用レール配管４２と平行に配置され、燃料噴射ポンプ８９に接続される。液体燃料戻し集約管４８の端部には、液体燃料を液体燃料タンク３３まで戻すための燃料戻し管１１５が接続される。
【００３２】
図３、図７及び図９に示すように、シリンダブロック２５の右側であって、液体燃料供給用レール配管４２よりも上方の位置には、予混合燃焼方式での燃焼時にガス燃料着火を目的として各気筒の燃焼室１１０にパイロット燃料を分配して供給するためのパイロット燃料供給用レール配管（パイロット燃料供給用コモンレール配管）４７が設けられる。パイロット燃料供給用レール配管４７は、シリンダブロック２５の右側面に沿って前後方向に延びるように配置されている。それぞれの気筒には、図３及び図７に示すように、パイロット燃料供給用レール配管４７から供給された液体燃料（パイロット燃料）を噴射するパイロット燃料噴射弁８２が配置されている。パイロット燃料噴射弁８２はシリンダヘッド２６に上方から斜めに差し込まれるように配置され、その上端部はヘッドカバー４０のすぐ左脇の位置に配置され、下端部は気筒の燃焼室１１０に臨んでいる。図７に示すように、それぞれの気筒に対応して、パイロット燃料枝管１０９がパイロット燃料供給用レール配管４７から分岐するように設けられている。パイロット燃料枝管１０９は、並べて配置されたヘッドカバー４０の間を通過するように配置され、パイロット燃料噴射弁８２の上端部に接続される。パイロット燃料枝管１０９は、漏れた燃料の飛散を防止するための枝管カバー１０５によって覆われている。
【００３３】
図３、図７及び図９に示すように、シリンダブロック２５及びシリンダヘッド２６で構成されるエンジン２１の右側面の上部には段差が形成されており、この段差の部分に、パイロット燃料供給用レール配管４７と液体燃料供給用レール配管４２と燃料噴射ポンプ８９とが配置されている。シリンダブロック２５及びシリンダヘッド２６には、この段差部分を覆うようにサイドカバー４３が取り付けられている。パイロット燃料供給用レール配管４７、液体燃料供給用レール配管４２、及び燃料噴射ポンプ８９は、サイドカバー４３で被覆されている。なお、図９には、サイドカバー４３の一部が取り外された状態が描かれている。
【００３４】
図２、図３及び図９に示すように、シリンダヘッド２６の左上方であって、ガスマニホールド４１よりも上方の位置には、各気筒の燃焼室１１０での燃焼により発生した排気を集めて外部に排出するための排気マニホールド４４が、ガスマニホールド４１と平行に配置される。排気マニホールド４４の外周は、遮熱カバー４５で覆われている（ただし、図９においては遮熱カバー４５が取り外されている）。図３に示すように、排気マニホールド４４には各気筒に対応する排気枝管４４ａが接続されている。この排気枝管４４ａは、各気筒の燃焼室１１０に通じている。
【００３５】
シリンダブロック２５の内部の左側寄りには、外部からの空気（吸気）を各気筒の燃焼室１１０に分配して供給するための吸気マニホールド６７が、ガスマニホールド４１と平行に配置される。図３に示すように、吸気マニホールド６７から分岐するように６つの吸気枝管６７ａがシリンダヘッド２６の内部に形成され、それぞれの吸気枝管６７ａは燃焼室１１０に通じている。
【００３６】
この構成により、拡散燃焼方式での燃焼時には、各気筒に吸気マニホールド６７から供給された空気がピストン７８のスライドにより圧縮された適宜のタイミングで、メイン燃料噴射弁７９から燃焼室１１０内に適宜の量の液体燃料が噴射されるようになっている。液体燃料を燃焼室１１０内に噴射することにより、ピストン７８は、燃焼室１１０で生じる爆発から得られる推進力によって気筒内を往復運動し、ピストン７８の往復運動がロッドを介してクランク軸２４の回転運動に変換されて動力が得られる。
【００３７】
一方、予混合燃焼方式での燃焼時には、ガスマニホールド４１からのガス燃料がガスインジェクタ９８から吸気枝管６７ａ内で噴射されることにより、吸気マニホールド６７から供給された空気と、ガス燃料とが混合される。気筒に導入された空気とガス燃料の混合気がピストン７８のスライドにより圧縮された適宜のタイミングで、パイロット燃料噴射弁８２から燃焼室１１０内に少量のパイロット燃料が噴射されることにより、ガス燃料に着火される。ピストン７８は、燃焼室１１０での爆発により得られる推進力によって気筒内を往復運動し、ピストン７８の往復運動がロッドを介してクランク軸２４の回転運動に変換されて動力が得られる。
【００３８】
拡散燃焼方式で燃焼した場合にも、予混合燃焼方式で燃焼した場合にも、燃焼により生じた排気はピストン７８の運動により気筒から押し出され、排気マニホールド４４に集められた後、外部に排出される。
【００３９】
図４に示すように、エンジン２１の前端面（正面）には、クランク軸２４の前端部分を取り囲むようにして、冷却水ポンプ５３、潤滑油ポンプ５５、及び燃料高圧ポンプ５６がそれぞれ設けられている。燃料高圧ポンプ５６は、クランク軸２４の左側寄りに配置される。また、エンジン２１の前端部分には、クランク軸２４の回転動力を伝達する図略の回転伝達機構が設けられている。これにより、クランク軸２４からの回転動力が前記回転伝達機構を介して伝達されることで、クランク軸２４の外周側に設けられた冷却水ポンプ５３、潤滑油ポンプ５５、及び燃料高圧ポンプ５６がそれぞれ駆動される。
【００４０】
図８に示すように、シリンダブロック２５の左側面には、潤滑油クーラ５８と、潤滑油漉し器５９と、が取り付けられている。潤滑油ポンプ５５から供給された潤滑油は、潤滑油クーラ５８で冷却された後、潤滑油漉し器５９で浄化されて、エンジン２１の各部に供給される。
【００４１】
図４に示す冷却水ポンプ５３から送られてくる冷却水は、エンジン２１の各気筒を冷却した後、図５等に示すシリンダヘッド上冷却水配管４６に集められる。
【００４２】
インタークーラ５１は、エンジン２１の前端面に沿って配置され、過給機４９のコンプレッサで圧縮された空気を冷却する。シリンダブロック左冷却水配管６０は、図８に示すように、シリンダブロック２５の前方からガスマニホールド４１に沿うようにして、潤滑油クーラ５８及び潤滑油漉し器５９の間となる位置まで後方に向かって延びており、潤滑油クーラ５８に冷却水を供給する。
【００４３】
図５及び図９に示すように、シリンダヘッド上冷却水配管４６は、それぞれがシリンダヘッド２６の上方に配置された複数のヘッドカバー４０と、排気マニホールド４４と、の間の位置に、当該排気マニホールド４４と平行に配置されている。シリンダヘッド上冷却水配管４６は、各気筒に対応して設けられた冷却水枝管と連結されて、この冷却水枝管を介して各気筒の冷却水路（シリンダヘッド２６に形成された冷却水路）と接続している。
【００４４】
図４に示す燃料高圧ポンプ５６は、回転駆動されることにより、図１の液体燃料タンク３３から燃料フィードポンプ１６６を介して供給される燃料油（液体燃料）を昇圧して、図７等に示すパイロット燃料供給用主管１０７を経由して、パイロット燃料供給用レール配管４７に送る。液体燃料タンク３３から燃料高圧ポンプ５６への燃料経路の中途部には、燃料油を濾過するパイロット燃料用フィルタが設けられている。
【００４５】
また、図１に示す燃料フィードポンプ１６５が電動で駆動されることにより、当該燃料フィードポンプ１６５は液体燃料タンク３３からの燃料油を吸い込んで、図７等に示す液体燃料供給用主管１０８を経由して液体燃料供給用レール配管４２に送る。液体燃料タンク３３から液体燃料供給用レール配管４２への燃料油の供給経路の中途部には、燃料油を濾過するメイン燃料用フィルタが設けられている。
【００４６】
図７に示すように、パイロット燃料供給用主管１０７、液体燃料供給用主管１０８及び燃料戻し管１１５は、シリンダブロック２５の右側面に沿うように、シリンダブロック２５のすぐ前方に配置されている。パイロット燃料供給用主管１０７、液体燃料供給用主管１０８及び燃料戻し管１１５は、シリンダブロック２５の前端面から右方に突出するように設けられた複数のクランプ部材１１１を介して、シリンダブロック２５の右側面に沿って上下方向に延びるように配置される。
【００４７】
シリンダヘッド２６の前方の右側寄り、より具体的には、インタークーラ５１の右側面には、ステーを介して、エンジン２１の始動・停止等の制御を行う機側操作用制御装置７１が設けられている（図６及び図９を参照）。機側操作用制御装置７１には、オペレータによるエンジン２１の始動・停止を受け付けるスイッチ等の操作部と、エンジン２１の運転状態を表示するディスプレイと、が設けられている。オペレータが機側操作用制御装置７１を操作することにより、エンジン２１を、予混合燃焼方式又は拡散燃焼方式の何れかで駆動させることができるようになっている。
【００４８】
次に、エンジン２１における液体燃料供給用の配管の配置について、主として図７を参照してより詳細に説明する。
【００４９】
拡散燃焼方式での燃焼時に燃焼室１１０に液体燃料を供給するための液体燃料供給経路は、上述のように、液体燃料供給用主管１０８や液体燃料供給用レール配管４２等を備えて構成される。また、液体燃料供給用主管１０８の中途部には、前記メイン燃料用フィルタが設けられている。前記メイン燃料用フィルタは、エンジン２１の前端面の右側寄りに配置されている。また、液体燃料供給用主管１０８は、シリンダブロック２５の前端面から右方に突出するように設けられた複数のクランプ部材１１１を介して、シリンダブロック２５の右側面に沿って上下方向に延びるように配管される。液体燃料供給用主管１０８の下流側には、液体燃料供給用レール配管４２が接続される。液体燃料供給用レール配管４２は、シリンダブロック２５の右側面に沿うように前後方向に延びた状態で、サイドカバー４３により覆われている。
【００５０】
燃料フィードポンプ１６５から液体燃料供給用主管１０８を経由して液体燃料供給用レール配管４２に圧送された液体燃料は、各気筒に対応して設けられた燃料噴射ポンプ８９に分配されるようになっている。燃料噴射ポンプ８９は、サイドカバー４３で覆われている。燃料噴射ポンプ８９に供給された液体燃料は、図３に示すように、シリンダヘッド２６の内部に形成された液体燃料供給路１０６を経由してメイン燃料噴射弁７９に供給される。
【００５１】
このように、拡散燃焼方式での燃焼時に燃焼室１１０に液体燃料を供給するための液体燃料供給経路は、全体として、クランク軸２４に対して右側（クランク軸２４の軸線２４ｃを含む仮想鉛直平面Ｐ１の右側）に配置されている。よって、オペレータは、エンジン２１の右側面からこの液体燃料供給経路にアクセスし、液体燃料供給用主管１０８や液体燃料供給用レール配管４２や前記メイン燃料フィルタ等のメンテナンスをまとめて行うことができる。とりわけ、エンジン２１の右側面は、従来から機側操作用制御装置７１が配置される側であり、オペレータにとってアクセスし易い構成となっている。
【００５２】
拡散燃焼方式での燃焼時にガス燃料着火を目的として燃焼室１１０にパイロット燃料を供給するためのパイロット燃料供給経路は、上述のように、パイロット燃料供給用主管１０７やパイロット燃料供給用レール配管４７等を備えて構成される。パイロット燃料供給用主管１０７の上流側には、燃料高圧ポンプ５６が接続されている。また、燃料高圧ポンプ５６の上流側には燃料経路が接続されており、この燃料経路の中途部に前記パイロット燃料用フィルタが設けられている。この燃料経路の上流側は、液体燃料タンク３３に接続されている。この燃料高圧ポンプ５６と、前記パイロット燃料用フィルタは、エンジン２１の前端面の右側寄りに配置されている。また、パイロット燃料供給用主管１０７は、液体燃料供給用主管１０８を支持するのに用いられている前記クランプ部材１１１を介して、シリンダブロック２５の右側面に沿って上下方向に延びるように配置される。このように、パイロット燃料供給用主管１０７と液体燃料供給用主管１０８とを共通のクランプ部材１１１により支持しているので、部品点数を削減できる。
【００５３】
パイロット燃料供給用主管１０７の下流側には、パイロット燃料供給用レール配管４７が接続される。パイロット燃料供給用レール配管４７は、シリンダブロック２５の右側面に沿うように前後方向に延びた状態で、サイドカバー４３により覆われている。
【００５４】
前記パイロット燃料フィルタで濾過された後、燃料高圧ポンプ５６からパイロット燃料供給用主管１０７を経由してパイロット燃料供給用レール配管４７に圧送されたパイロット燃料は、各気筒に対応して設けられたパイロット燃料枝管１０９に分配される。パイロット燃料枝管１０９は、隣接するヘッドカバー４０の間のスペースを通るように配管されている。なお、図７では図示していないが、パイロット燃料枝管１０９は、上方から枝管カバー１０５で覆われている。パイロット燃料枝管１０９に供給されたパイロット燃料は、その下流側の先端部に設けられるパイロット燃料噴射弁８２から適宜のタイミングで噴射される。
【００５５】
このように、予混合燃焼方式での燃焼時に燃焼室１１０にパイロット燃料を供給するためのパイロット燃料供給経路は、上述の液体燃料供給経路と同様に、全体としてクランク軸２４に対して右側（クランク軸２４の軸線２４ｃを含む仮想鉛直平面Ｐ１の右側）に配置されている（図７を参照）。よって、オペレータがエンジン２１の右側面からこのパイロット燃料供給経路にアクセスし、パイロット燃料供給用主管１０７やパイロット燃料供給用レール配管４７や前記パイロット燃料用フィルタ等のメンテナンスをまとめて行うことが容易である。このように、液体燃料供給経路（パイロット燃料供給経路を含む。）に関するメンテナンスをエンジン２１の一側の側面（本実施形態では、右側面）からまとめて行うことができ、オペレータにとってメンテナンスが行い易いレイアウトとなっている。
【００５６】
ところで、従来からあるデュアルフューエルエンジンにおいては、パイロット燃料供給用レール配管４７が、サイドカバー４３の内側ではなく、平面視で排気マニホールド４４のすぐ側方、より具体的には、排気マニホールド４４の排気枝管４４ａの上方の位置に露出して設けられていた。パイロット燃料供給用レール配管４７は、一般的に長尺物であり、配管の途中に継ぎ目等が存在する場合があるが、この継ぎ目の部分から燃料が漏れて、排気マニホールド４４の排気枝管４４ａに付着するおそれがあった。排気マニホールド４４の内部には高温の排気が流れているので、このように高温となっている排気枝管４４ａ等に燃料が付着することは望ましくなかった。
【００５７】
この点、本実施形態では、パイロット燃料供給用レール配管４７が、クランク軸２４に対して排気マニホールド４４が配置されている側とは反対側に配置されていて、排気マニホールド４４からは遠く離れている。よって、仮にパイロット燃料供給用レール配管４７の継ぎ目等から燃料が漏れたとしても、高温の排気マニホールド４４の表面に付着することはなく、火災等のおそれをなくすことができる。
【００５８】
しかも、本実施形態のパイロット燃料供給用レール配管４７は、サイドカバー４３の内側に配置されているため、仮にパイロット燃料供給用レール配管４７の継ぎ目等から燃料が漏れたとしても、燃料が周囲に飛散することがなく、エンジン２１のメンテナンスが簡単となる。
【００５９】
次に、液体燃料供給用レール配管４２を支持するための構造について、図１０を参照して説明する。図１０は、サイドカバー４３を取り外した状態を示すエンジン２１の拡大斜視図である。
【００６０】
図１０に示すように、液体燃料供給用レール配管４２は、その長手方向中途部に配置される分岐継手９２を含んでいる。この分岐継手９２は気筒２つにつき１つ配置されており、それぞれの分岐継手９２の上部に、２本のパイロット燃料枝管１０９が接続している。
【００６１】
上述のとおりシリンダブロック２５及びシリンダヘッド２６には段差部分が形成されているが、この段差部分の底面から上方に突出するように、平板状の下部ステー９５がシリンダブロック２５に固定されている。また、上記の段差部分の側壁から側方に突出するように、Ｌ字状の上部ステー９６がシリンダヘッド２６に固定されている。下部ステー９５及び上部ステー９６は、ボルト及びナットを介してシリンダブロック２５又はシリンダヘッド２６に固定される。
【００６２】
下部ステー９５と上部ステー９６とを互いに接続するように、平板状の中間ステー９７が配置されている。中間ステー９７の下部は下部ステー９５に固定され、上部は上部ステー９６に固定されている。そして、この中間ステー９７に前記分岐継手９２が固定されている。なお、上記の固定は何れもボルト及びナットを介して行われる。
【００６３】
このように、下部ステー９５及び上部ステー９６を用いて上下から（シリンダブロック２５及びシリンダヘッド２６の両方から）パイロット燃料供給用レール配管４７を支持する構成となっているので、支持構造の剛性を高めることができ、パイロット燃料供給用レール配管４７の振動を低減することができる。
【００６４】
以上に説明したように、本実施形態のエンジン２１は、気体燃料を空気と混合させてから燃焼室１１０に流入させる予混合燃焼方式と、液体燃料を燃焼室１１０内に噴射して燃焼する拡散燃焼方式と、に対応可能である。このエンジン２１は、メイン燃料噴射弁７９と、パイロット燃料噴射弁８２と、液体燃料供給用レール配管４２と、パイロット燃料供給用レール配管４７と、を備える。メイン燃料噴射弁７９は、拡散燃焼方式での燃焼時に燃焼室１１０に液体燃料を供給する。パイロット燃料噴射弁８２は、予混合燃焼方式での燃焼時にガス燃料着火を目的として燃焼室１１０にパイロット燃料を供給する。液体燃料供給用レール配管４２は、エンジン２１のクランク軸２４を含む仮想鉛直平面Ｐ１に対して一側（右側）に配置され、メイン燃料噴射弁７９に液体燃料を供給する。パイロット燃料供給用レール配管４７は、仮想鉛直平面Ｐ１に対して液体燃料供給用レール配管４２と同じ側に配置され、パイロット燃料噴射弁８２にパイロット燃料を供給する。
【００６５】
これにより、液体燃料供給用レール配管４２のメンテナンス、及びパイロット燃料供給用レール配管４７のメンテナンスの何れも、エンジン２１のクランク軸２４に対して一側（本実施形態においては右側面側）から行うことができ、メンテナンスが容易になる。
【００６６】
また、本実施形態のエンジン２１は、仮想鉛直平面Ｐ１に対して液体燃料供給用レール配管４２と反対側（左側）に配置され、燃焼室１１０での燃焼により発生した排気を集めて外部に排出する排気マニホールド４４を更に備える。
【００６７】
これにより、排気マニホールド４４が、クランク軸２４に対して、液体燃料供給用レール配管４２及びパイロット燃料供給用レール配管４７が配置される側とは反対側に配置される。そのため、燃焼室１１０に供給される前の燃料が、排気マニホールド４４内を流れる排気の温度の影響を受けて高温となって、エンジンの性能に悪影響を与えてしまうことを防止することができる。
【００６８】
また、本実施形態のエンジン２１は、燃料噴射ポンプ８９と、被覆部材としてのサイドカバー４３と、を更に備える。燃料噴射ポンプ８９は、仮想鉛直平面Ｐ１に対して液体燃料供給用レール配管４２と同じ側（右側）に配置され、メイン燃料噴射弁７９に燃料を供給する。サイドカバー４３は、液体燃料供給用レール配管４２、パイロット燃料供給用レール配管４７及び燃料噴射ポンプ８９を覆う。
【００６９】
これにより、仮に、液体燃料供給用レール配管４２、パイロット燃料供給用レール配管４７、又は燃料噴射ポンプ８９の何れかから燃料が漏れたとしても、燃料が周囲に飛散することを防止することができ、メンテナンス性及び安全性が向上される。
【００７０】
以上に本発明の好適な実施の形態を説明したが、上記の構成は例えば以下のように変更することができる。
【００７１】
上記の実施形態では、エンジン２１は、船舶の推進兼発電機構の駆動源として用いられるものとしたが、これに限るものではなく、他の用途に用いられる駆動源であってもよい。
【００７２】
上記の実施形態においては、液体燃料供給用レール配管４２、パイロット燃料供給用レール配管４７、及び燃料噴射ポンプ８９は、エンジン２１の右側面に沿って設けられるものとしたが、これに限るものではなく、例えばこれに代えて、液体燃料供給用レール配管４２、パイロット燃料供給用レール配管４７、及び燃料噴射ポンプ８９をエンジン２１の左側面に沿って設けるものとしてもよい。
【符号の説明】
【００７３】
２１  エンジン
２４  クランク軸
４２  液体燃料供給用レール配管
４３  サイドカバー（被覆部材）
４４  排気マニホールド
４５  遮熱カバー
４７  パイロット燃料供給用レール配管
７９  メイン燃料噴射弁
８２  パイロット燃料噴射弁
８９  燃料噴射ポンプ
１１０  燃焼室
Ｐ１  仮想鉛直平面
【図１】
2020073805.tif 000003
【図２】
2020073805.tif 000004
【図３】
2020073805.tif 000005
【図４】
2020073805.tif 000006
【図５】
2020073805.tif 000007
【図６】
2020073805.tif 000008
【図７】
2020073805.tif 000009
【図８】
2020073805.tif 000010
【図９】
2020073805.tif 000011
【図１０】
2020073805.tif 000012